(57)【要約】【課題】  スピニングリールの釣り糸案内機構において、釣り糸放出時の糸よれを確実に防止する。【解決手段】  ラインローラ４４の案内部４４ａは、第１ベール支持部材４０側端部が大径となるように傾斜する第１傾斜部４４ｅを有している。第１傾斜部４４ｅの表面には、釣り糸Ｌに糸放出時と逆方向のよれを発生させる逆よれ発生手段７０が設けられている。逆よれ発生手段７０は、第１傾斜部４４ｅの表面に形成され釣り糸Ｌを第１傾斜部４４ｅの第１ベール支持部材４０側に寄せて接触させることにより釣り糸Ｌに糸放出時と逆方向のよれを発生させる糸よれ発生部７１と、糸よれ発生部７１に形成され釣り糸Ｌを密着可能な密着部７２とを有している。【選択図】      図５
2005130787.tif 000002
【特許請求の範囲】
【請求項１】
回転するロータの第１ロータアーム及び第２ロータアームの先端に糸案内姿勢と糸開放姿勢とに揺動自在に装着され、釣り糸をスプールに案内するスピニングリールの釣り糸案内機構であって、
前記第１ロータアーム及び前記第２ロータアームの先端にそれぞれ揺動自在に装着された第１ベール支持部材及び第２ベール支持部材と、
前記第１ベール支持部材に一端が固定された固定軸と、
前記固定軸の他端に前記第１ベール支持部材と間隔を隔てて設けられた固定軸カバーと、
前記第１ベール支持部材と前記固定軸カバーと間において、前記固定軸に回動自在に支持され、前記釣り糸を前記スプールに案内する案内部を有するラインローラと、
前記スプールの外方に湾曲して配置され、一端側が前記第２ベール支持部材に固定され、前記釣り糸を前記固定軸カバーを介して前記ラインローラに導くベールと、
前記ラインローラの表面の少なくとも一部に形成され前記釣り糸を接触させることにより前記釣り糸に糸放出時と逆方向のよれを発生させる糸よれ発生部と、前記糸よれ発生部の少なくとも一部に形成され前記釣り糸を密着させる密着部とを有する逆よれ発生手段と、
を備えたスピニングリールの釣り糸案内機構。
【請求項２】
前記案内部は、周面が前記第１ベール支持部材側が大径となるように傾斜して形成され、表面の少なくとも一部に前記糸よれ発生部及び前記密着部が形成された傾斜部を有しており、
前記逆よれ発生手段は、釣り糸巻取操作時に前記ラインローラに案内される前記釣り糸を前記傾斜部の前記第１ベール支持部材側に寄せて前記糸よれ発生部に接触させる、請求項１に記載のスピニングリールの釣り糸案内機構。
【請求項３】
前記ラインローラは、前記案内部の前記固定軸カバー側の端部に前記固定軸カバー側が大径となるように傾斜して形成され、表面の少なくとも一部に前記糸よれ発生部及び前記密着部が形成された傾斜部をさらに有しており、
前記逆よれ発生手段は、釣り糸巻取操作時に前記案内部に案内される前記釣り糸を前記傾斜部側に寄せて前記糸よれ発生部に接触させる、請求項１に記載のスピニングリールの釣り糸案内機構。
【請求項４】
前記ラインローラは、前記案内部の前記固定軸カバー側の端部に大径となるように形成され、前記固定軸カバー側の壁面の少なくとも一部に前記糸よれ発生部及び前記密着部が形成された段差部をさらに有しており、
前記逆よれ発生手段は、釣り糸巻取操作時に前記案内部に案内される前記釣り糸を前記段差部側に寄せて前記糸よれ発生部に接触させる、請求項１に記載のスピニングリールの釣り糸案内機構。
【請求項５】
前記糸よれ発生部は、前記ラインローラの一部の表面にのみ形成されている、請求項１から４のいずれかに記載のスピニングリールの釣り糸案内機構。
【請求項６】
前記密着部は、前記糸よれ発生部の一部の表面にのみ形成されている、請求項１から５のいずれかに記載のスピニングリールの釣り糸案内機構。
【請求項７】
前記密着部は、前記糸よれ発生部の表面に形成された微細な凹凸部である、請求項１から６のいずれかに記載のスピニングリールの釣り糸案内機構。
【請求項８】
前記凹凸部は、ショットブラスト加工により形成されている、請求項７に記載のスピニングリールの釣り糸案内機構。
【請求項９】
前記密着部は、前記糸よれ発生部の表面に密着性向上物質を塗布することにより形成されている、請求項１から６のいずれかに記載のスピニングリールの釣り糸案内機構。
【発明の詳細な説明】
【技術分野】
【０００１】
本発明は、スピニングリールの釣り糸案内機構、特に、回転するロータの第１ロータアーム及び第２ロータアームの先端に糸案内姿勢と糸開放姿勢とに揺動自在に装着され、釣り糸をスプールに案内するスピニングリールの釣り糸案内機構に関する。
【背景技術】
【０００２】
スピニングリールには釣り糸をスプールに案内する釣り糸案内機構が設けられている。釣り糸案内機構は、第１ロータアーム及び第２ロータアームの先端に装着され、ロータとともに回転しかつ糸開放姿勢と糸案内姿勢との間で揺動自在に設けられている。この釣り糸案内機構は、第１ベール支持部材及び第２ベール支持部材と、第１ベール支持部材の先端に一端が固定された固定軸と、固定軸の他端に設けられた固定軸カバーと、固定軸カバーに一端が挿入して取り付けられたベールと、固定軸に支持されたラインローラとを備えている。ベールの一端は固定軸カバーの端部に挿入固定されている。ベールの他端は第２ベール支持部材の先端に取り付けられている。
【０００３】
このような釣り糸案内機構を有するスピニングリールにおいて、釣り糸をスプールに巻き取る際は、ベールを糸案内姿勢側にしてハンドルを回転する。すると、釣り糸はベールに誘導され、固定軸カバーを介してラインローラの外周面に案内される。そして、釣り糸は、ラインローラに案内されて方向が変えられ、スプール外周に巻き取られる。
【０００４】
この種の釣り糸案内機構では、糸放出時には釣り糸が巻かれた状態のままで、すなわち螺旋状になってスプールの先端から繰り出されるので、このときに糸よれが発生する。通常、スピニングリールでは、スプールから繰り出された釣り糸に糸よれが生じないように、釣り糸を巻きつける際に糸よれした状態でスプールに巻き付けられるようにしている。ここで、繰り出し時と巻き取り時で同じ大きさの糸よれが逆方向に生じるようになっていれば、スプールに巻き取られた釣り糸には糸よれは残らない。しかし、釣り糸がラインローラで案内されている間に、ラインローラと釣り糸との接触に伴って釣り糸に余分な糸よれが生じることがある。具体的には、ラインローラとの接触抵抗で釣り糸に加わる力の大きさや方向が変動し、釣り糸に予期しない捩れ力や曲げ力が加わって、前述したような余分な糸よれが生じる。このような余分な糸よれが発生すると、スプールに巻き取られた釣り糸に繰り出したときに解消されない糸よれが残り、釣り糸のスムーズな繰り出しが行い難くなったり、仕掛けを正確な方向に投げ出すことができなくなったりする問題が発生する。
【０００５】
そこで、このような余分な糸よれの発生を抑えるために、ラインローラの周面に固定軸カバー側が大径となるように形成された鍔状の糸案内部と、釣り糸巻取操作時にラインローラに案内される釣り糸を糸案内部側に寄せる付勢手段とを有し、糸案内部及びラインローラの周面に釣り糸を接触させることで接触した釣り糸に糸放出時と逆方向のよれを発生させ余分な糸よれの発生を抑える逆よれ発生手段を設けた釣り糸案内機構が開示されている（たとえば、特許文献１参照）。
【０００６】
この釣り糸案内機構では、釣り糸巻き取り操作時には、釣り糸はロータの回転によりラインローラに案内されて方向が変えられスプール外周に巻き取られる。このとき釣り糸は、付勢手段により糸案内部側に寄せられるので、ラインローラの周面に入ってくる位置よりベール支持部材側でスプールに向かって出て行く。そして、ラインローラに接触するときに鍔状の糸案内部に釣り糸が接触する。このようにスプールに向かう位置がラインローラの周面上でベール支持部材側にずれることで、糸繰り出し時と逆方向の糸よれが発生し、余分な糸よれの発生を抑えている。また、鍔状の糸案内部に釣り糸が接触すると、ラインローラの回転による糸案内部の回転により糸案内部に接触した釣り糸に放出時と逆方向の糸よれが生じる。
【特許文献１】特開平１１−１９６７２１号公報
【発明の開示】
【発明が解決しようとする課題】
【０００７】
前記従来の逆よれ発生手段を有する釣り糸案内機構では、ラインローラの糸案内部で接触した釣り糸に放出時と逆方向の糸よれを発生させることができるので、釣り糸放出時の糸よれを防止することができる。
【０００８】
しかし、釣り糸に作用する張力が小さいとき、釣り糸がラインローラの糸案内部から離反し、逆方向の糸よれを十分に発生できないおそれが生じる。このように逆方向の糸よれを十分に発生できないと、釣り糸放出時に糸よれを引き起こしてしまうおそれがある。
【０００９】
本発明の課題は、スピニングリールの釣り糸案内機構において、釣り糸放出時の糸よれを確実に防止することにある。
【課題を解決するための手段】
【００１０】
発明１に係るスピニングリールの釣り糸案内機構は、回転するロータの第１ロータアーム及び第２ロータアームの先端に糸案内姿勢と糸開放姿勢とに揺動自在に装着され、釣り糸をスプールに案内するスピニングリールの釣り糸案内機構であって、第１ロータアーム及び第２ロータアームの先端にそれぞれ揺動自在に装着された第１ベール支持部材及び第２ベール支持部材と、第１ベール支持部材に一端が固定された固定軸と、固定軸の他端に第１ベール支持部材と間隔を隔てて設けられた固定軸カバーと、第１ベール支持部材と固定軸カバーと間において固定軸に回動自在に支持され釣り糸をスプールに案内する案内部を有するラインローラと、スプールの外方に湾曲して配置され一端側が第２ベール支持部材に固定され釣り糸を固定軸カバーを介してラインローラに導くベールと、ラインローラの表面の少なくとも一部に形成され釣り糸を接触させることにより釣り糸に糸放出時と逆方向のよれを発生させる糸よれ発生部と糸よれ発生部の少なくとも一部に形成され釣り糸を密着させる密着部とを有する逆よれ発生手段とを備えている。
【００１１】
この釣り糸案内機構では、逆よれ発生手段は、釣り糸に糸放出時と逆方向のよれを発生させる糸よれ発生部と、糸よれ発生部に形成された釣り糸を密着させる密着部とを有している。ここでは、釣り糸に作用する張力が小さくても、釣り糸が密着部に密着するので、釣り糸が糸よれ発生部から離反しにくくなる。したがって、糸よれ発生部に釣り糸を確実に接触させることができるので、釣り糸に放出時と逆方向の糸よれを発生でき、釣り糸放出時の糸よれを確実に防止することができる。
【００１２】
発明２に係る釣り糸案内機構は、発明１の釣り糸案内機構において、案内部は、周面が第１ベール支持部材側が大径となるように傾斜して形成され、表面の少なくとも一部に糸よれ発生部及び密着部が形成された傾斜部を有している。逆よれ発生手段は、釣り糸巻取操作時にラインローラに案内される釣り糸を傾斜部の第１ベール支持部材側に寄せて糸よれ発生部に接触させる。この場合、釣り糸を傾斜部の第１ベール支持部材側に寄せて糸よれ発生部に接触させることにより、逆方向の糸よれを発生させやすくなる。
【００１３】
発明３に係る釣り糸案内機構は、発明１の釣り糸案内機構において、ラインローラは、案内部の固定軸カバー側の端部に固定軸カバー側が大径となるように傾斜して形成され、表面の少なくとも一部に糸よれ発生部及び密着部が形成された傾斜部をさらに有している。逆よれ発生手段は、釣り糸巻取操作時に案内部に案内される釣り糸を傾斜部側に寄せて糸よれ発生部に接触させる。この場合、釣り糸を第１ベール支持部材側の傾斜部に寄せることにより、逆方向の糸よれを発生させやすくなる。
【００１４】
発明４に係る釣り糸案内機構は、発明１の釣り糸案内機構において、ラインローラは、案内部の固定軸カバー側の端部に大径となるように形成され、固定軸カバー側の壁面の少なくとも一部に糸よれ発生部及び密着部が形成された段差部をさらに有している。逆よれ発生手段は、釣り糸巻取操作時に案内部に案内される釣り糸を段差部側に寄せて糸よれ発生部に接触させる。この場合、釣り糸を固定軸カバー側の段差部側に寄せることにより、逆方向の糸よれを発生させやすくなる。
【００１５】
発明５に係る釣り糸案内機構は、発明１から４のいずれかの釣り糸案内機構において、糸よれ発生部は、ラインローラの一部の表面にのみ形成されている。この場合、釣り糸に放出時と逆方向の糸よれを発生させる部分である糸よれ発生部を、たとえばラインローラの傾斜部や段差部の一部にのみ設けることにより、逆方向の糸よれを発生させやすくなる。
【００１６】
発明６に係る釣り糸案内機構は、発明１から５のいずれかの釣り糸案内機構において、密着部は、糸よれ発生部の一部の表面にのみ形成されている。この場合、糸よれ発生部の全表面でなく糸よれ発生部の一部の釣り糸が接触する部分の表面にのみ密着部を形成することにより、釣り糸が離反するのを的確に防止できる。
【００１７】
発明７に係る釣り糸案内機構は、発明１から６のいずれかの釣り糸案内機構において、密着部は、糸よれ発生部の表面に形成された微細な凹凸部である。この場合、糸よれ発生部の表面に微細な凹凸部を形成することにより、釣り糸の接触摩擦を増加させることで、容易に密着部を形成できる。
【００１８】
発明８に係る釣り糸案内機構は、発明７の釣り糸案内機構において、凹凸部は、ショットブラスト加工により形成されている。この場合、ラインローラを回転させながらショットブラスト加工することにより、凹凸部を安価に形成できる。
【００１９】
発明９に係る釣り糸案内機構は、発明１から６のいずれかの釣り糸案内機構において、密着部は、糸よれ発生部の表面に密着性向上物質を塗布することにより形成されている。この場合、たとえば表面がざらざらになるような表面処理を施して密着性向上物質を形成したり、表面が保湿性を有するような密着性向上物質を塗布することにより、釣り糸の密着性を向上できる。
【発明の効果】
【００２０】
本発明によれば、スピニングリールの釣り糸案内機構において、糸よれ発生部に釣り糸を密着可能な密着部を形成することにより、釣り糸放出時の糸よれを確実に防止することができる。
【発明を実施するための最良の形態】
【００２１】
〔全体構成及びリール本体の構成〕
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸Ｌを外周面に巻き取るものであり、ロータ３の前部に前後移動自在に配置されている。
【００２２】
ハンドル１は、Ｔ字状の把手部１ａと、先端に把手部１ａが回転自在に装着されたＬ字状のクランクアーム１ｂとを有している。
【００２３】
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸Ｌを均一に巻き取るためのオシレーティング機構６とが設けられている。
【００２４】
スプール４は、図１及び図２に示すように、後述するロータ３の第１ロータアーム３１及び第２ロータアーム３２の間に配置されており、このスプール４の中心部がスプール軸１５の先端部にドラグ機構６０（図２参照）を介して連結されている。
【００２５】
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはネジ方向及び径が異なる雌ネジ部がそれぞれ形成されており、両雌ネジ部にハンドル１が回転不能に装着可能である。
【００２６】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
【００２７】
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２８】
〔ロータの構成〕
ロータ３は、図２に示すように、ピニオンギア１２に固定された円筒部３０と、円筒部３０の側方に互いに対向して設けられた第１ロータアーム３１及び第２ロータアーム３２と、釣り糸Ｌをスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００２９】
〔ベールアームの構成〕
ベールアーム３４は、図１から図３に示すように、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に揺動自在に装着されている。ベールアーム３４は、図３から図６に示すように、第１ベール支持部材４０及び第２ベール支持部材４２を連結するベール４１と、第１ベール支持部材４０に先端が固定された固定軸４３と、固定軸４３に支持されたラインローラ４４と、固定軸４３を覆う固定軸カバー４６と、ラインローラ４４の表面に釣り糸Ｌを接触させることにより釣り糸Ｌに糸放出時と逆方向のよれを発生させる逆よれ発生手段７０とをさらに有している。
【００３０】
第１ベール支持部材４０は、図４から図６に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図６参照）が形成されており、貫通孔４０ｃには固定軸４３を第１ベール支持部材４０に固定するための固定ボルト５２が貫通している。
【００３１】
ベール４１は、図１から図３に示すように、第２ベール支持部材４２及び固定軸カバー４６に両端が固定された針金状のステンレス合金製部材であり、スプール４の周方向外方に凸に湾曲して配置されている。ベール４１は、ベールアーム３４が糸開放姿勢から糸案内姿勢に復帰したときに釣り糸Ｌを固定軸カバー４６を介してラインローラ４４に導くためのものである。
【００３２】
固定軸４３は、図３から図６に示すように、固定軸カバー４６及び第１ベール支持部材４０の装着部４０ｂの中心に沿う軸芯Ｘに沿って固定軸カバー４６側から装着された部材である。固定軸４３は、図４及び図６に示すように、固定軸カバー４６に装着される大径部４３ａと、大径部４３ａより小径に形成され先端が固定ボルト５２により装着部４０ｂに固定される小径部４３ｂとを有している。
【００３３】
ラインローラ４４は、図４から図６に示すように、外周面に釣り糸Ｌを案内する筒状の案内部４４ａと、案内部４４ａの内周側に軸方向に間隔を隔てて配置された２つの転がり軸受４４ｂ、４４ｃ（図６参照）とを有している。案内部４４ａは、この２つの軸受４４ｂ、４４ｃを介して固定軸４３の小径部４３ｂに回動自在に支持されている。
【００３４】
案内部４４ａは、図５に拡大して示すように、周面が平坦になるように形成された第１平坦部４４ｄと、固定軸カバー４６側端部が第１平坦部４４ｄの第１ベール支持部材４０側端部より小径に形成され第１ベール支持部材４０側端部が大径となるように傾斜する第１傾斜部４４ｅと、固定軸カバー４６側端部が第１傾斜部４４ｅの第１ベール支持部材４０側端部と同径に周面が平坦になるように形成された第２平坦部４４ｆとを有している。第１平坦部４４ｄと第１傾斜部４４ｅとの接続部分及び第１傾斜部４４ｅと第２平坦部４４ｆとの接続部分は、周面がそれぞれ滑らかに連続した形状になっている。また、第１平坦部４４ｄ及び第２平坦部４４ｆは、図６及び図７に示すように、固定軸カバー４６及び装着部４０ｂの対向面にそれぞれ形成された鍔状の第１フランジ部４６ａ及び第２フランジ部４０ｄに両端部の一部が覆われるように形成されている。このような案内部４４ａの表面には、釣り糸Ｌを第１ベール支持部材４０側に寄せて接触させることにより釣り糸Ｌに糸放出時と逆方向のよれを発生させる逆よれ発生手段７０が設けられている。
【００３５】
逆よれ発生手段７０は、図４から図７に示すように、案内部４４ａの第１傾斜部４４ｅの表面に形成された糸よれ発生部７１と、糸よれ発生部７１に形成された密着部７２とを有している。糸よれ発生部７１は、釣り糸Ｌを第１傾斜部４４ｅの第１ベール支持部材４０側に寄せて接触させることにより釣り糸Ｌに糸放出時と逆方向のよれを発生させる部分である。また、密着部７２は、釣り糸Ｌを密着させるためのものである。
【００３６】
糸よれ発生部７１は、図４及び図５に示すように、一定の張力が作用した状態で巻き取られる釣り糸Ｌと固定軸４３の軸芯Ｘとの間の角度αが鈍角となるように第１ベール支持部材４０が閉じる方向に傾いて配置されている。このため、釣り糸Ｌを第１傾斜部４４ｅの第１ベール支持部材４０側に寄せて接触させることができるので、釣り糸Ｌに糸放出時と逆方向のよれを発生できる。
【００３７】
密着部７２は、図６及び図７に示すように、ショットブラスト加工により形成された微細な凹凸部の集合によって構成されている。このような密着部７２を形成するには、筒状の案内部４４ａを回転させながらショットブラスト加工することにより、表面に微細な凹凸部を形成している。なお、密着部７２は、糸よれ発生部７１である第１傾斜部４４ｅの表面だけでなく、第１平坦部４４ｄ及び第２平坦部４４ｆの表面にも形成されており、すなわち案内部４４ａの全表面に密着部７２が形成されている。
【００３８】
このようなベールアーム３４を有するスピニングリールにおいて、釣り糸Ｌをスプール４に巻き取る際には、ベール４１を糸案内姿勢側にしてハンドル１を回転する。すると、釣り糸Ｌはベール４１に誘導されて固定軸カバー４６を介してラインローラ４４の案内部４４ａ外周面に案内されて接触する。このとき、逆よれ発生手段７０により、釣り糸Ｌは案内部４４ａの糸よれ発生部７１に第１ベール支持部材４０側に寄せて接触させられることになり、釣り糸Ｌに糸放出時と逆方向のよれを発生させる。そして、釣り糸Ｌは、糸放出時と逆方向のよれが発生した状態でスプール４外周に巻き取られるので、スプールから繰り出された釣り糸Ｌに糸よれが生じにくくなる。
【００３９】
さらに、ここでは、逆よれ発生手段７０は、糸よれ発生部７１の表面に形成され釣り糸Ｌが密着可能な密着部７２をさらに有しているので、釣り糸Ｌに作用する張力が小さくても、釣り糸Ｌが密着部７２に密着するので、釣り糸Ｌが糸よれ発生部７１から離反しにくくなる。したがって、糸よれ発生部７１に釣り糸Ｌを確実に接触させることができるので、釣り糸放出時の糸よれを確実に防止できる。
【００４０】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００４１】
（ｂ）  前記実施形態では、糸よれ発生部７１の全表面に密着部７２が形成されていたが、図８に示すように、糸よれ発生部７１の一部の少なくとも釣り糸Ｌが接触する表面にのみ密着部７２を形成してもよい。
【００４２】
（ｃ）  前記実施形態では、案内部４４ａは、第１平坦部４４ｄと、第１ベール支持部材４０側端部が大径となる第１傾斜部４４ｅと、第２平坦部４４ｆとを有していたが、これらに限定されるものではない。
【００４３】
たとえば、図９に示すように、案内部４４ａは、固定軸カバー４６側端部が大径となるように傾斜して形成され表面に糸よれ発生部７１及び密着部７２が形成された第２傾斜部４４ｇと、第２傾斜部４４ｇの第１ベール支持部材４０側端部に大径となるように形成された第１段差部４４ｈとを有する構成であってもよい。糸よれ発生部７１は、案内部４４ａの第１段差部４４ｈの壁面側の第２傾斜部４４ｇに釣り糸Ｌを寄せて接触させることにより、釣り糸Ｌに糸放出時と逆方向のよれを発生させている。ここでは、釣り糸Ｌと固定軸４３の軸芯Ｘとの間の角度βが鈍角（図９では略直角）となるように第１ベール支持部材４０が閉じる方向に傾いて配置されている。このため、釣り糸Ｌを第１段差部４４ｈの壁面側の第２傾斜部４４ｇに寄せて接触させることができるので、釣り糸Ｌに糸放出時と逆方向のよれを発生できる。このような案内部４４ａにおいても、糸よれ発生部７１の表面に釣り糸Ｌが密着可能な密着部７２を形成することにより、糸よれ発生部７１に釣り糸Ｌを確実に接触させることができるので、釣り糸放出時の糸よれを確実に防止できる。
【００４４】
また、図１０に示すように、案内部４４ａは、固定軸カバー４６側に大径に形成さ固定軸カバー４６側の壁面に糸よれ発生部７１及び密着部７２が形成された第２段差部４４ｉと、第２段差部４４ｉの第１ベール支持部材４０側端部より小径に形成され周面が平坦になるように形成された第３平坦部４４ｊと、第３平坦部４４ｊの第１ベール支持部材４０側端部に第１ベール支持部材４０側端部が大径となるように傾斜して形成された第３傾斜部４４ｋとを有する構成であってもよい。糸よれ発生部７１は、案内部４４ａの第３平坦部４４ｊから第２段差部４４ｉの壁面に釣り糸Ｌを寄せて接触させることにより、釣り糸Ｌに糸放出時と逆方向のよれを発生させている。ここでは、釣り糸Ｌと固定軸４３の軸芯Ｘとの間の角度γが鋭角となるように第１ベール支持部材４０が開く方向に傾いて配置されている。このため、釣り糸Ｌを第３平坦部４４ｊから第２段差部４４ｉの壁面に寄せて接触させることができるので、釣り糸Ｌに糸放出時と逆方向のよれを発生できる。このような案内部４４ａにおいても、糸よれ発生部７１の表面に釣り糸Ｌが密着可能な密着部７２を形成することにより、釣り糸放出時の糸よれを確実に防止することができる。
【図面の簡単な説明】
【００４５】
【図１】本発明の一実施形態を採用したスピニングリールの右側面図。
【図２】前記スピニングリールの左側面断面図。
【図３】前記スピニングリールの正面図。
【図４】ベールアームの斜視図。
【図５】前記ベールアームの拡大平面図。
【図６】前記ベールアームの拡大断面図。
【図７】ラインローラの拡大断面図。
【図８】他の実施形態の図５に相当する図。
【図９】他の実施形態の図５に相当する図。
【図１０】他の実施形態の図５に相当する図。
【符号の説明】
【００４６】
４  スプール
３１  第１ロータアーム
３２  第２ロータアーム
３４  ベールアーム
４０  第１ベール支持部材
４０ａ  アーム部
４０ｂ  装着部
４０ｃ  貫通孔
４２  第２ベール支持部材
４１  ベール
４３  固定軸
４４  ラインローラ
４４ａ  案内部
４４ｂ、４４ｃ  軸受
４４ｄ  第１平坦部
４４ｅ  第１傾斜部
４４ｆ  第２平坦部
４４ｇ  第２傾斜部
４４ｈ  第１段差部
４４ｉ  第２段差部
４４ｊ  第３平坦部
４４ｋ  第３傾斜部
４６  固定軸カバー
５２  固定ボルト
７０  逆よれ発生手段
７１  糸よれ発生部
７２  密着部
【図１】
2005130787.tif 000003
【図２】
2005130787.tif 000004
【図３】
2005130787.tif 000005
【図４】
2005130787.tif 000006
【図５】
2005130787.tif 000007
【図６】
2005130787.tif 000008
【図７】
2005130787.tif 000009
【図８】
2005130787.tif 000010
【図９】
2005130787.tif 000011
【図１０】
2005130787.tif 000012